(57)【要約】【課題】常に磁気ディスク装置の動作に支障をきたすことなく、通話における騒音問題と使用時における外圧、熱の影響の問題を回避した携帯情報端末を提供する。【解決手段】携帯電話機１０は、ディスプレイ２３が備えられた蓋部１２と、この蓋部１２を開閉自在あるいはスライド移動自在とし、蓋部１２を閉じた状態で蓋部１２と対向する表面にキースイッチ２４とマイク２５を備えた本体部１１と、この本体部１１の表面側にＰＣＢ面Ｂを向けかつキースイッチ２４とマイク２５のある表面領域を避けたレスト領域３６下方の本体部１１内に配置されたＨＤＤ３０とを具備する。【選択図】図１
2005284335.tif 000002
【特許請求の範囲】
【請求項１】
ディスプレイが備えられた蓋部と、
この蓋部を開閉自在あるいはスライド自在とし、前記蓋部を閉じた状態で前記蓋部と対向する表面にキー操作部とマイク部を備えた本体部と、
前記本体部の表面側に発熱面を向けかつ前記キー操作部とマイク部のある表面領域を避けた第１領域下方の本体部内に配置された磁気ディスク装置と
を具備することを特徴とする携帯情報端末。
【請求項２】
請求項１記載の携帯情報端末において、
前記第１領域と前記磁気ディスク装置との間にメモリカードスロットを具備したことを特徴とする携帯情報端末。
【請求項３】
請求項１乃至２いずれか１項記載の携帯情報端末において、
前記本体部に、前記本体部を開封することなく前記磁気ディスク装置を着脱可能なディスクスロットを設けたことを特徴とする携帯情報端末。
【請求項４】
請求項１乃至３いずれか１項記載の携帯情報端末において、
前記本体部内に固定された前記磁気ディスク装置及びマイクの少なくとも一方のうち、少なくとも一部を覆うように配置された遮音部材と
を具備したことを特徴とする携帯情報端末。
【請求項５】
請求項１乃至４いずれか１項記載の携帯情報端末において、
前記本体部内において、前記磁気ディスク装置が実装されるスペースと前記マイクが実装されるスペースとを区分するように配設された遮音壁を具備したことを特徴とする携帯情報端末。
【請求項６】
表面にキー操作部とマイク部を備えた本体部と、
前記本体部の表面に対して開閉自在とされ、閉じた状態で前記本体部と対向する表示面にメインディスプレイを設けた蓋部と、
前記表示面と対向する裏面の側に発熱面を向けて前記蓋部内部に配置された磁気ディスク装置と
を具備することを特徴とする携帯情報端末。
【請求項７】
請求項６記載の携帯情報端末において、
前記磁気ディスク装置は、前記蓋部の裏面に設けられたサブディスプレイの領域を避けた第２の領域下部に配置されていることを特徴とする携帯情報端末。
【発明の詳細な説明】
【技術分野】
【０００１】
本発明は、磁気ディスク装置を備える携帯情報端末に関する。
【背景技術】
【０００２】
近年、携帯電話機は、端末のハードウェアの機能向上に加えて、高速な通信を可能とする通信インフラも整備され、通信速度が飛躍的に向上したことで、電話、メール以外のアプリケーション、例えば映像や音声をダウンロードして視聴する等の用途が考えられている。
映像、音声の視聴を可能とするためには、携帯電話機に大容量の記憶装置を備える必要があるため、携帯電話機に大容量フラッシュメモリや磁気ディスク装置等を搭載することが考えられる。例えばギガバイト単位の記憶容量となると、現時点では、大容量フラッシュメモリよりも記憶容量対価格という面で、磁気ディスク装置に軍配が上がるため磁気ディスク装置を搭載することが現実的である。
しかし、磁気ディスク装置を携帯電話機に搭載する場合、現行の２．５インチあるいは１インチクラスのものよりもさらなる軽量化、薄型化、小型化が必要になる。これらのことを実現すると、どうしても強度面の不足が生じ、特に筐体がきゃしゃな携帯電話機ではキー操作時の押圧の影響や、大画面化が進むディスプレイから生じる熱の影響を受けやすくなるという問題がある。
一方、磁気ディスク装置は、高速で回転する磁気ディスクに近接して磁気ヘッドを配置することで磁気ディスクからの情報の読み書きを行うものである。つまり、磁気ディスク装置は、精密に設計された機械的機構部品をアセンブリしたものであるため、通話の際に騒音の発生源となるという騒音問題も生じる。
このように携帯電話機に磁気ディスク装置を搭載する場合、大きく分けて、通話の際の騒音問題と、押圧や熱に弱いという外圧問題の２つの問題がクローズアップされる。
【０００３】
この種の先行技術としては、磁気ディスク装置を搭載した携帯電話機において、磁気ディスク装置の動作と通信とを排他的に実施するよう構成したことで、低消費電力化を図る技術が公開されている。
この先行技術の場合、通信の一部と考え得る通話中において電気的な制御で磁気ディスク装置を停止させ省力化を図るため、磁気ディスク装置の騒音がユーザに聞こなくなるというサブ的な効果が得られる。
【特許文献１】特開２００１−３８００６１号公報
【発明の開示】
【発明が解決しようとする課題】
【０００４】
しかしながら、上記先行技術では、通話中に磁気ディスク装置が動作しないことになり、停止状態からの復帰でレスポンスが悪くなる点や磁気ディスク装置が動作中に不意に通話が発生した場合、磁気ディスク装置を停止させてしまうことになり、データ記憶装置としての磁気ディスク装置の用途を考慮すると、不都合が生じる。
本発明はこのような課題を解決するためになされたもので、常に磁気ディスク装置の動作に支障を来たすことなく通話時における騒音問題と使用時における外圧、熱の影響の問題を回避できる携帯情報端末を提供することを目的とする。
【課題を解決するための手段】
【０００５】
上記した目的を達成するために、本発明の携帯情報端末は、ディスプレイが備えられた蓋部と、この蓋部を開閉自在あるいはスライド自在とし、前記蓋部を閉じた状態で前記蓋部と対向する表面にキー操作部とマイク部を備えた本体部と、前記本体部の表面側に発熱面を向けかつ前記キー操作部とマイク部のある表面領域を避けた第１領域下方の本体部内に配置された磁気ディスク装置とを具備することを特徴とする。
本発明では、蓋部ではなく、本体部に磁気ディスク装置を配置することで、ディスプレイから発生する熱の影響を磁気ディスク装置が受け難くなる。また、本体部の中でも、キー操作部とマイク部のある表面領域を避けた第１領域下方に磁気ディスク装置を配置することで、キー操作時の押圧力が磁気ディスク装置に加わることを防ぐことができる。さらに、磁気ディスク装置の発熱面を本体部の表面側に向けて配置することで、キー操作時の押圧力が磁気ディスク装置の弱いカバー面に直接加わることがなくなる。
【０００６】
なお、上記携帯情報端末において、第１領域と磁気ディスク装置との間にメモリカードスロットを具備することで、キー操作部から磁気ディスク装置までの距離が離れ、互いの間にメモリカードが介在することで、キー操作時の押圧力が磁気ディスク装置に加わり難くなる。
上記携帯情報端末において、本体部に、本体部を開封することなく磁気ディスク装置を着脱可能なディスクスロットを設けることで、キー操作部からの押圧力が伝わり難くなると共に放熱性も向上する。
上記携帯情報端末において、本体部内に固定された磁気ディスク装置及びマイクの少なくとも一方のうち、少なくとも一部を覆うように配置された遮音部材を具備することで、磁気ディスク装置から発生された騒音がマイクに集音され難くなり、騒音対策を行うことができる。
【０００７】
本発明の携帯情報端末は、表面にキー操作部とマイク部を備えた本体部と、前記本体部の表面に対して開閉自在とされ、閉じた状態で前記本体部と対向する表示面にメインディスプレイを設けた蓋部と、前記表示面と対向する裏面の側に発熱面を向けて前記蓋部内部に配置された磁気ディスク装置とを具備することを特徴とする。
本発明では、本体部ではなく、蓋部の側に磁気ディスク装置を配置することで、キー操作時の押圧力が磁気ディスク装置に加わることがなくなる。
上記携帯情報端末において、磁気ディスク装置を、蓋部の裏面に設けられたサブディスプレイの領域を避けた第２の領域下部に配置することで、サブディスプレイから発生する熱の影響を磁気ディスク装置が受け難くなる。つまり、蓋部の中でも、サブディスプレイのある領域を避けた第２領域下方に磁気ディスク装置を配置することで、サブディスプレイから発生する熱の影響を磁気ディスク装置が受け難くなる。
【発明の効果】
【０００８】
以上説明したように、本発明によれば、常に磁気ディスク装置の動作に支障をきたすことなく、通話における騒音問題と使用時における外圧、熱の影響の問題を回避できる携帯情報端末を提供できる。
【発明を実施するための最良の形態】
【０００９】
以下、本発明の実施の形態を図面を参照して詳細に説明する。
（第１の実施の形態）
図１（Ａ）、図１（Ｂ）は本発明の携帯情報端末に係る第１の実施形態の折り畳み式の携帯電話機１０を示す斜視図であり、それぞれ開状態、閉じる状態を表す。図２は携帯電話機１０の制御系の構成を示すブロック図、図３は携帯電話機１０に内蔵されるＨＤＤ３０の内部構成を示す断面図、図４は携帯電話機１０の本体部１１の内部構成を示す断面図である。
図１（Ａ）、図１（Ｂ）に示すように、携帯電話機１０は、本体部１１と蓋部１２との２つの筐体に区分される。なお、これらの筐体は、それぞれキースイッチ配置ブロック筐体、表示ブロック筐体といっても差し支えない。
これら本体部１１と蓋部１２は、ヒンジ部１３によって互いに開閉自在に接続される。この結果、携帯電話機１０は、蓋部１２を開いた状態（開状態：図１（Ａ））、蓋部１２を閉じる途中の状態（閉状態：図１（Ｂ）と、蓋部１２を閉じた閉状態（図示せず）の３つの状態をとる。開状態、閉状態はヒンジ部１３に備えられたラチェット機構（図示せず）によってそのまま保持される。なお、この例の携帯電話機１０は、本体部１１と蓋部１２とがヒンジ部１３で回動自在に支持されており、貝のように開閉する構造となっているが、本体部１１に対して蓋部１２がスライド自在あるいは本体部１１に設けた支点を中心に蓋部１２が左右に回動自在とされた携帯電話機もあり、本発明はこれにも適用できる。
【００１０】
図１，２に示すように、携帯電話機１０は、電話・メール機能部２１，映像・音声再生部２２、メインディスプレイ２３，サブディスプレイ２８等の表示部、キー操作部としてのキースイッチ２４、音声入力部としてのマイクロホン２５（以下マイク２５と称す）、音声出力部としてのスピーカ２６、カメラ部２７、ハードディスクドライブ制御部３１（以下ＨＤＤ制御部３１と称す），磁気ディスク装置としてのハードディスクドライブ３０（以下ＨＤＤ３０と称す）、バッファメモリ３３、保持メモリ３４を有する。
【００１１】
電話・メール機能部２１は、携帯電話機１０と他の電話機との間での通話、メールのやり取りを可能とするものであり、図示しないアンテナを備える。
映像・音声再生部２２は、ＨＤＤ３０に蓄積された映像、音声のコンテンツを表示部２３，音声出力部２６で視聴することを可能とする。
【００１２】
メインディスプレイ２３，サブディスプレイ２８等の表示部は、液晶表示装置、ＥＬディスプレイ等であり、使用時に熱を持つため、ＨＤＤ３０を離したい部品の一つである。メインディスプレイ２３は、蓋部１２の本体部１１の面と対向する面（表示面）に設けられている。サブディスプレイ２８は、蓋部１２のメインディスプレイ２３の面（表示面）の反対側の面（以下裏面と称す。背面ともいう）のほぼ中央部に設けられている。サブディスプレイ２８は、メインディスプレイ２３が閉じられたときに補助的な表示を行うものである。例えばメインディスプレイ２３が２×１．５インチ程度とすると、１×０．７インチ程度である。
【００１３】
キースイッチ２４は、テンキー、電源ボタン、通話ボタン、メールボタン等の情報入力手段である。キースイッチ２４は、本体部１１に、蓋部１２を閉じた状態で蓋部１２と対向する表面（操作面）に設けられている。キースイッチ２４は、ユーザにより押される、つまり押圧力が加えられるものであり、その直下は負荷が加わる可能性がある。マイク２５は、コンデンサマイク等の音声入力装置である。マイク２５は、音声を集音する装置であり、騒音発生源であるＨＤＤ３０からは離したい部品の一つである。
【００１４】
スピーカ２６は、通話時に相手の音声を出力およびメール受信音等の各種音声を発生する音声出力装置であり、磁石が備えられている。また、スピーカ２６は、ユーザが耳を当てて受話する部分でもあり、騒音発生源であるＨＤＤ３０から離したい部品の一つである。
カメラ部２７は、蓋部１２の裏面でかつヒンジ部１３よりの位置に配設されている。カメラ部２７は、画像や動画を撮像する撮像手段であり、撮像された画像データや動画データは保護メモリ３４やＨＤＤ３０に記憶される。
【００１５】
なお、これに加えて音声信号を出力する外部出力端子（イヤホンジャックや外部スピーカ端子）を備えていてもよい。ユーザが音声出力先をスピーカ、イヤホン、外部スピーカ等適宜に選択できる。
バッファメモリ３３は、ＨＤＤ３０との間でデータをやり取りするためのメモリである。保持メモリ３４は、電話・メール機能部２１，映像・音声再生部２２等で必要な情報を保持するためのメモリであり、フラッシュメモリ等を用いる。ＨＤＤ制御部３１は、ＨＤＤ３０からの情報の読み出し、書き込みを制御する。
ＨＤＤ３０は、本体部１１の操作面側に発熱面であるＰＣＢ面Ｂを向けかつキースイッチ２４とマイク２５のある表面領域を避けたフィンガーレスト領域３６（第１領域）の下方の本体部１１内に配置されている。
【００１６】
図３に示すように、ＨＤＤ３０は、トップカバー５１、ベース５２、プリント配線基板５３：printed circuit board（以下ＰＣＢ５３と称す）、ネジ５４、支柱５５、磁気ディスク５６（以下ＨＤ５６と称す）などを備えている。
トップカバー５１は、例えばステンレス等の金属の薄板で形成された上部カバーであり、ＨＤＤ３０のケースの一部を担うものである。
ベース５２は、トップカバー５１がかぶせられる底部カバーであり、トップカバー５１とでケース構造を構成する。
【００１７】
ＰＣＢ５３は、絶縁体の基板上に印刷技術を応用して配線を形成したものであり、基板上の銅の薄膜の配線以外（余分な）部分をエッチングで溶かして形成する。この上に回路部品が実装される。駆動時には、このＰＣＢ５３の部分が発熱する。
ネジ５４は、支柱５５にトップカバー５１を固定するものである。支柱５５は、トップカバー５１とベース５２との間にＨＤ５６を回転動作させるためのスペースを一定に保持するための柱部材である。ＨＤ５６は、ベース５２にモータ(図示せず)で回動自在に固定されている。ＨＤ５６には、磁気ヘッド（図示せず）によって情報が記憶され、また読み出される。
【００１８】
このＨＤＤ３０において、トップカバー５１側の面をカバー面Ａと呼び、ＰＣＢ５３側の面をＰＣＢ面Ｂと呼ぶ。カバー面Ａは上からの押圧に比較的弱い面であり、ＰＣＢ面Ｂは、発熱する面（発熱面）である。
ＨＤＤ３０は、種々のコンテンツ（映像、音声（音楽、映画等）、プログラム（ゲーム等）を記憶するための磁気ディスク装置である。ＨＤＤ３０は、ＨＤ３５、モータおよび磁気ヘッドを備え、磁気ヘッドとモータによってＨＤ３５上から情報の読み出し、書き込みを行う。
【００１９】
図４に示すように、本体部１１は、筐体６０内に、キースイッチ２４、マイク２５、ＨＤＤ３０、遮音壁６１、遮音シート６２、ネジ６３、ベース部６４、遮音シート６５を備えている。
筐体６０にはバッテリスペースが設けられている。バッテリスペースのために多くのスペースがとられており、バッテリスペースを避けた空きスペースにベース部６４が固定されている。ベース部６４は、筐体６０の底部に固定されている。ベース部６４には、ネジ６３でＨＤＤ３０が固定されている。
ＨＤＤ３０の面の向きについては、ＰＣＢ面Ｂを上に向けて、つまり、ＰＣＢ面Ｂを本体部１１の操作面の側に向けて配置する。これは操作面からの押圧という点でＰＣＢ面Ｂを上にする方が好ましいからである。ＨＤＤ３０の縦横の配置方向については、本体部１１の長手方向に対して直交する方向にＨＤＤ３０の長手方向を向けるように配置する。これにより、本体部１１の捩れに対して強度が上がる。
遮音シート６２は、ＨＤＤ３０をその少なくとも一部を覆うようにベース部６４にまで貼り付けられている。なお、この遮音シート６２は、遮音効果のあるシートを用い、その材料は一般材料でよい。また、ゲル状の衝撃吸収シートを代替として用いてもよい。この場合は、耐防音と耐衝撃の双方に効果がある。
遮音壁６１は、本体部１１の筐体６０内において、ＨＤＤ３０が実装されるスペースとマイク２５が実装されるスペースとを区分するように配設されている。遮音シート６２は、ネジ６３は、遮音シート６２を配設する部分は、ＨＤＤ３０の騒音源となる領域を集中的に保護するように配設してもよい。例えばＨＤＤ３０の内部においてＨＤ５６を駆動するモータや磁気ヘッドを振動で動かないように押えるラッチ機構が存在する部分のみに重点的に遮音シート６２を配設してもよい。
【００２０】
この携帯電話機１０では、電話・メール機能部２１による電話、メールに加えて、映像・音声再生部２２による映像、音声（例えば、音楽、映画）の視聴が可能となっている。
携帯電話機１０の電話、メールの機能を利用したり、また映像を視聴するときに、本体部１１と蓋部１２とを開放することで、携帯電話機１０は、開状態にされる。また、携帯電話機１０が使われないときには、本体部１１と蓋部１２とを閉じることで、携帯電話機１０は閉状態にされる。一方、音声（例えば音楽等）の視聴は、開状態、閉状態のいずれの状態でも可能である。
【００２１】
以下、この第１実施形態の携帯電話機１０における各種対策（騒音、外圧、熱等の対策）について説明する。
（騒音対策）
この第１実施形態の携帯電話機１０の場合、筐体６０内にＨＤＤ３０を配置した場合に、ＨＤＤ３０の騒音の大きさ、あるいはマイク２５の集音性能（指向特性等）によっては、マイク２５よりＨＤＤ３０の騒音を集音する可能性もある。そこで、この第１実施形態では、騒音対策として、通話時にスピーカ２６からできるだけ離れた本体部１１の側にＨＤＤ３０を配置する一方で、ＨＤＤ３０を遮音効果のある遮音シート６２で覆うと共にＨＤＤ３０とマイク２５との間に遮音壁６１を配置する。図中マイク２５が配置される部屋とＨＤＤ３０が配設される部屋とを遮音壁６１で完全に分離する場合が最も効果的であり、その変形例としてマイク２５の形状に合わせて遮音壁６１を形成配置してもよい。つまり、マイク２５とＨＤＤ３０を音響的に分離する構造体としたことで、ＨＤＤ３０からの漏洩騒音をマイク２５が拾わないようにできる。
このように遮音壁６１でマイク２５とＨＤＤ３０の配置スペースを分離した低騒音配置構造と遮音シート６２，６５を併用することで、低騒音なＨＤＤ３０の配置構造をさらに強化することができる。
これにより、通話者の聴覚に影響を与えることがないばかりか、ＨＤＤ３０の騒音をマイク２５が拾わなくなるので、効果的な騒音低減が可能になる。
【００２２】
（外圧、衝撃対策）
この第１実施形態の携帯電話機１０では、本体部１１の操作面のキースイッチ２４とマイク２５のある表面領域を避けたフィンガーレスト領域３６の下方の筐体６０内にＨＤＤ３０を配置したことで、いずれかのキースイッチ２４が押された場合にも、押圧力による筐体６０の凹みがＨＤＤ３０を押すことがなくなる。また、ＨＤＤ３０自体もＰＣＢ面Ｂを操作面側に向けることで、トップカバー５１の一部がゆがんでＨＤ５６あるいは磁気ヘッドなどに悪影響を及ぼす等のこともなくなる。
また、この第１実施形態では、本来、通話者が手を必ず添える本体部１１側にＨＤＤ３０を配置するので、ＨＤＤ３０を蓋部１２側に配置するのに比べて回転衝撃を受ける頻度が大幅に低減できるという併せ持った効果が得られる。
【００２３】
（熱対策）
本体部１１と蓋部１２のうち、熱源であるメインディスプレイ２３を有する蓋部１２側を避けて、本体部１１側にＨＤＤ３０を配置したことで、メインディスプレイ２３から発せいられる熱の影響をＨＤＤ３０が受けなくなる。
【００２４】
このようにこの第１実施形態の携帯電話機１０によれば、本体部１１と蓋部１２とがヒンジ部１３により回動自在に軸支された折りたたみ式の携帯電話機１０において、最も適切な位置にＨＤＤ３０を配置することで、外圧の影響、熱の問題等を解決して、軽量、薄型のＨＤＤ３０を携帯電話機１０に搭載することができる。
また、筐体６０内に固定したＨＤＤ３０とマイク２５を遮音シート６２，６５で覆うことで、ＨＤＤ３０から発生する騒音を筐体６０の外部及びマイク２５へできだけ漏らさないようにして騒音の低減を図ることができる。
また、折りたたみ式携帯電話機１０において、その開閉のために生じる回転衝撃等をＨＤＤ３０に受け難くできるという効果も得られる。
この結果、ＨＤＤ３０の動作に支障を来たさず、かつ消費電力型のＨＤＤ３０を搭載でき、ＨＤＤ３０を常時動作状態にしていてもＨＤＤ３０から発生する騒音がユーザに聞こえ難くなる。
【００２５】
（第２の実施の形態）
図５を参照して本発明に係る第２の実施形態の携帯電話機１０ａを説明する。図５は携帯電話機１０ａを示す斜視図である。上記第１実施形態と同一の構成には同一の符号を付し、その説明は省略する。
図５に示すように、この第２実施形態の携帯電話機１０aは、本体部１１の操作面の第１領域であるフィンガーレスト領域３６と本体部１１内のＨＤＤ３０との間にカードスロット７１を備えている。このカードスロット７１は、例えばＳＤカード等のメモリカード７０を本体部１１の側面から挿抜自在とするものである。なお、ＳＤカードは登録商標である。ＳＤカードとＨＤＤ３０は幅と長さがほぼ同じ大きさであり、その厚みについては若干異なる。具体的には、ＳＤカードの厚みは、2.1ｍｍ程度であるのに対して、ＨＤＤ３０は、3.3ｍｍ程度であり、ＨＤＤ３０の方が若干厚い。
このように、カードスロット７１をＨＤＤ３０の上に配置することで、キー操作による押圧力がＨＤＤ３０にさらに加わり難くなる。なお、ＨＤＤ３０の面の向きについては、第１実施形態と同様にＰＣＢ面Ｂを上にする方が操作面からの押圧力が加わり難くなり好ましい。ただし、この場合、ＨＤＤ３０のＰＣＢ面Ｂがカードスロット７１に対向するため、カードスロット７１にＳＤカード装着される状態でＨＤＤ３０を駆動すると、ＨＤＤ３０のＰＣＢ面Ｂに搭載されるＩＣ部品等の発熱により、熱がＳＤカードに伝わりＳＤカードの動作に何らかの影響を与えることが考えられる。
【００２６】
そこで、カードスロット７１にＨＤＤ３０のＰＣＢ面Ｂを対応するような配置構造の場合は、カードスロット７１とＨＤＤ３０のスロット間の熱伝達を抑制するような構造、すなわち、間に断熱材等の熱伝達緩衝部材を挟むか、熱が逃げやすい構造にすることが望ましい。また、このような構造が取れない場合、カードスロット７１からＨＤＤ３０のＰＣＢ面Ｂができるだけ離れる位置、即ちＰＣＢ面を下に設置するように配置することで、カードスロット７１内に装着されるＳＤカードへのＨＤＤ３０のＰＣＢからの熱を伝えにくくする配置を取ることが有効である。この場合でも、ＨＤＤ３０上にカードスロット７１が設けられているので、キー操作による押圧力のＨＤＤ３０への伝達抑制に十分に効果を奏する。また、ＨＤＤ３０の縦横の配置方向についても第１実施形態と同様に本体部１１の長手方向と直交する方向にＨＤＤ３０の長手方向を向けることが好ましい。
【００２７】
（第３の実施の形態）
図６を参照して本発明に係る第３の実施形態の携帯電話機１０ｂを説明する。図６は携帯電話機１０ｂを示す斜視図である。上記第１、２実施形態と同一の構成には同一の符号を付し、その説明は省略する。
図６に示すように、この第３実施形態の携帯電話機１０ｂは、上記第２実施形態の変形例であり、本体部１１の操作面の第１領域であるフィンガーレスト領域３６の下方の本体部１１内に、カードスロット７１とハードディスクスロット７２とを２段、つまりスロットを多段配置して構成している。カードスロット７１は、第２実施形態と同じものである。ハードディスクスロット７２は、上記第１実施形態のＨＤＤ３０のＰＣＢ５３(図３参照)をアンダーカバー(図示せず)で覆った外部カードタイプのもの(ここでは、ハードディスクカード７２と称す)を、本体部１１の側面から挿抜自在とするものである。つまり、このハードディスクスロット７２は、本体部１１のネジを外す等の筐体６０の開封を行うことなくＨＤＤ３０を着脱可能なスロットである。
このように、カードスロット７１とハードディスクスロット７３を本体部１１内に重ねるように配置することで、キー操作による押圧力がハードディスクカード７２に加わり難くなる。なお、ハードディスクスロット７３に装着するハードディスクカード７２の面の向きについては、第１実施形態と同様にＰＣＢ面Ｂを上にする方が好ましい。ただし、この場合、ＨＤＤ３０のＰＣＢ面Ｂがカードスロット７１に対向するため、カードスロット７１にＳＤカード装着される状態でＨＤＤ３０を駆動すると、ＨＤＤ３０のＰＣＢ面Ｂに搭載されるＩＣ部品等の発熱により、熱がＳＤカードに伝わりＳＤカードの動作に何らかの影響を与えることが考えられる。
【００２８】
そこで、カードスロット７１にＨＤＤ３０のＰＣＢ面Ｂを対応するような配置構造の場合は、カードスロット７１とＨＤＤ３０のスロット間の熱伝達を抑制するような構造、すなわち、間に断熱材等の熱伝達緩衝部材を挟むか、熱が逃げやすい構造にすることが望ましい。また、このような構造が取れない場合、カードスロット７１からＨＤＤ３０のＰＣＢ面Ｂができるだけ離れる位置、すなわちＰＣＢ面を下に設置するように配置することで、カードスロット７１内に装着されるＳＤカードへのＨＤＤ３０のＰＣＢからの熱を伝えにくくする配置を取ることが有効である。この場合でも、ＨＤＤ３０上にカードスロット７１が設けられているので、キー操作による押圧力のＨＤＤ３０への伝達抑制に十分に効果を奏する。また、ＨＤＤ３０の縦横の配置方向についても第１実施形態と同様に本体部１１の長手方向と直交する方向にハードディスクカード７２の長手方向を向けることが好ましい。
【００２９】
（第４の実施の形態）
図７を参照して本発明に係る第４の実施形態の携帯電話機１０ｃを説明する。図７は携帯電話機１０ｃを示す斜視図である。上記第１乃至第３実施形態と同一の構成には同一の符号を付し、その説明は省略する。
図７に示すように、この第４実施形態の携帯電話機１０ｃは、本体部１１の操作面に対して開閉自在とされた蓋部１２のメインディスプレイ２３が設けられている側と反対の面、つまり表示面と対向する裏面（背面）の側にＰＣＢ面Ｂを向けてＨＤＤ３０が蓋部１２内部に配置されている。ＨＤＤ３０は、蓋部１２の裏面（背面）に設けられたサブディスプレイ２８の領域とカメラ部２７の領域とを避けたヒンジ部１３に近い側の第２領域３８（図示位置）の下方に配置されている。ＨＤＤ３０の縦横の配置方向については、上記各実施形態と同様に蓋部１２の長手方向と直交する方向にＨＤＤ３０の長手方向を向けることが好ましい。
このように、蓋部１２の裏面（背面）のサブディスプレイ２８を避けた位置の下方にＨＤＤ３０を配置することで、サブディスプレイ２８から発生する熱の影響をＨＤＤ３０が受け難くできる。また、メインディスプレイ２３とは表裏の関係で近接するため、ＨＤＤ３０のＰＣＢ面Ｂを蓋部１２の裏面（背面）の側に向けて配置することで、ＨＤＤ３０自体の放熱効果が上がると共に、メインディスプレイ２３からの熱の影響をＨＤＤ３０が受け難くなる。
さらに、サブディスプレイ２８の領域を避けた中でも、ヒンジ部１３に近い側にＨＤＤ３０を配置することで、スピーカ２６の磁石の影響を受けなくなる。また、ＨＤＤ３０の位置がヒンジ部１３に近いため蓋部１２を閉じる際の衝撃も少なく済む。
なお、アンテナは、通常、受信回路のある本体部１１の側に設けられるためＨＤＤ３０を蓋部１２の側に配置することで、高周波ノイズなどの影響も受け難くなる。
【００３０】
（その他の実施形態）
本発明の実施形態は上記の実施形態に限られず拡張、変更可能であり、拡張、変更した実施形態も本発明の技術的範囲に含まれる。
【図面の簡単な説明】
【００３１】
【図１】（Ａ）本発明の第１実施形態に係る携帯電話機の開放状態を示す斜視図。（Ｂ）本発明の第１実施形態に係る携帯電話機の閉じる状態を示す斜視図。
【図２】図１の携帯電話機内部の制御系の構成を示すブロック図。
【図３】図１の携帯電話機に搭載されているＨＤＤの内部構造を示す断面図。
【図４】図１の携帯電話機の内部構造を示す断面図。
【図５】本発明の第２実施形態に係る携帯電話機を示す斜視図。
【図６】本発明の第３実施形態に係る携帯電話機を示す斜視図。
【図７】本発明の第４実施形態に係る携帯電話機を示す斜視図。
【符号の説明】
【００３２】
１０，１０ａ，１０ｂ，１０ｃ…携帯情報端末、１１…本体部、１２…蓋部、１３…ヒンジ部、２１…電話・メール機能部、２２…映像・音声再生部、２３…メインディスプレイ、２４…キースイッチ、２５…マイクロホン(マイク)、２６…スピーカ、２７…カメラ部、２８…サブディスプレイ、３０…ハードディスクドライブ（ＨＤＤ）、３１…ハードディスクドライブ制御部（ＨＤＤ制御部）、３３…バッファメモリ、３４…保持メモリ、５１…トップカバー、５２…ベース、５３…ＰＣＢ、５４…ネジ、５５…支柱、５６…ハードディスク（ＨＤ）。
【図１】
2005284335.tif 000003
【図２】
2005284335.tif 000004
【図３】
2005284335.tif 000005
【図４】
2005284335.tif 000006
【図５】
2005284335.tif 000007
【図６】
2005284335.tif 000008
【図７】
2005284335.tif 000009